(57)【要約】      （修正有）【課題】利便性を高めたフィーチャーフォンタイプの携帯電話及び操作性を向上させる表示制御装置を提供する。【解決手段】表示制御装置１は、ディスプレイ１０に表示されたポインタを移動させる操作を検出すると、ポインタの可動領域端までは、その操作に応じてポインタを移動させて、ポインタの可動領域端においては、その操作に応じてディスプレイ１０に表示する画面をスクロールさせるコントローラ３０を備える。【選択図】図１
2017138571.tif 000002
【特許請求の範囲】
【請求項１】
ディスプレイに表示されたポインタを移動させる操作を検出すると、
前記ポインタの可動領域端までは、前記操作に応じて前記ポインタを移動させて、
前記ポインタの可動領域端においては、前記操作に応じて前記ディスプレイに表示する画面をスクロールさせるコントローラを備える、表示制御装置。
【請求項２】
前記コントローラは、
前記ポインタの可動領域端において、前記操作の移動量に応じて、前記ディスプレイに表示する画面をスクロールさせる量を変化させる、請求項１に記載の表示制御装置。
【請求項３】
前記コントローラは、前記ポインタの可動領域端において、前記ポインタを移動させる操作の方向とは逆方向に、前記ディスプレイに表示する画面をスクロールさせる、請求項１または２に記載の表示制御装置。
【請求項４】
前記コントローラは、前記操作に応じて前記ディスプレイに表示する画面をスクロールさせた後、前記操作がリリースされることなく、当該操作の方向とは逆方向への操作を検出すると、前記ディスプレイに表示する画面を逆方向にスクロールさせる、請求項１から３のいずれかに記載の表示制御装置。
【発明の詳細な説明】
【技術分野】
【０００１】
本発明は、表示制御装置に関する。より詳細には、本発明は、例えばパーソナルコンピュータ（ＰＣ）などのディスプレイにおける表示を制御する装置に関する。
【背景技術】
【０００２】
例えばデスクトップＰＣ又はノートＰＣのような端末において、ユーザに操作を促すために、ディスプレイに種々のＧＵＩ(Graphical User Interface)を表示することがある。例えば、ディスプレイにポインタを表示することにより、ユーザは、マウス又はタッチパッドなどのような入力デバイスを用いて、ポインタの位置を移動させる操作を行うことができる（例えば、特許文献１参照）。また、例えば、ディスプレイにスクロールバーを表示することにより、ユーザは、スクロールバーのノブを上下又は左右に移動させたり、スクロールバー両端のアローをクリックしたりするなどの操作を行い、画面をスクロールさせることができる。
【先行技術文献】
【特許文献】
【０００３】
【特許文献１】特開２００９−２９５１４７号公報
【発明の概要】
【発明が解決しようとする課題】
【０００４】
上述のような各種端末において、簡単で直感的な操作により、ポインタの移動及び画面のスクロールを実現すれば、端末の操作性を向上させることができる。
【０００５】
本発明の目的は、操作性を向上させる表示制御装置を提供することにある。
【課題を解決するための手段】
【０００６】
第１の観点に係る表示制御装置は、
ディスプレイに表示されたポインタを移動させる操作を検出すると、
前記ポインタの可動領域端までは、前記操作に応じて前記ポインタを移動させて、
前記ポインタの可動領域端においては、前記操作に応じて前記ディスプレイに表示する画面をスクロールさせるコントローラを備える。
【発明の効果】
【０００７】
本発明の実施形態に係る表示制御装置によれば、操作性を向上させることができる。
【図面の簡単な説明】
【０００８】
【図１】本発明の一実施形態に係る表示制御装置の概略構成を示すブロック図である。
【図２】本発明の一実施形態に係る表示制御装置の動作を説明するフローチャートである。
【図３】本発明の一実施形態に係る表示制御装置の動作を説明する図である。
【図４】本発明の一実施形態に係る表示制御装置の動作を説明する図である。
【図５】本発明の一実施形態に係る表示制御装置の適用例を示す図である。
【発明を実施するための形態】
【０００９】
以下、本発明の一実施形態について、図面を参照して説明する。
【００１０】
以下説明する発明の一実施形態においては、例えばデスクトップＰＣ又はノートＰＣのようなＰＣの端末を想定して説明する。しかしながら、本発明の一実施形態は、ＰＣのような端末に限定されるものではなく、例えばタブレット型ＰＣ、スマートフォン、フィーチャーフォン、及びゲーム端末など、ディスプレイにポインタを表示して使用する任意の電子機器とすることができる。
【００１１】
図１は、本発明の一実施形態に係る表示制御装置の概略構成を示すブロック図である。
【００１２】
図１に示すように、本発明の一実施形態に係る表示制御装置１は、ディスプレイ１０、操作部１２、タッチセンサ１４、コントローラ３０、及びメモリ４０を備えている。
【００１３】
ディスプレイ１０は、液晶ディスプレイ、有機ＥＬディスプレイ、又は無機ＥＬディスプレイ等の任意の表示デバイスである。ディスプレイ１０は、表示制御装置１を操作するユーザに操作を促すために、ポインタをはじめとする種々のＧＵＩを構成するオブジェクト、及びアイコン画像などを表示する。また、ディスプレイ１０は、文字、記号、画像など、各種の情報を表示することができる。
【００１４】
操作部１２は、例えばキーボードのようなキー（物理キー）、及び、マウス又はトラックボールのようなポインティングデバイスなど、ユーザが操作を行うために使用する任意の入力デバイスとすることができる。操作部１２を物理キーとする場合、各キーは、それぞれ、例えば押しボタン式の自動復帰型スイッチなどで構成することができる。
【００１５】
タッチセンサ１４は、ユーザによる接触の有無及び当該接触の位置を検出する。このタッチセンサ１４は、例えばタッチパッドのようなポインティングデバイスを採用することができる。また、タッチセンサ１４は、ディスプレイ１０の前面に重ねて配置した構成（ディスプレイ１０及びタッチセンサ１４によりタッチパネルを構成）とすることもできる。このような構成においては、例えばテンキーなどのキー又はアイコン等をオブジェクトとしてディスプレイ１０に表示して、当該オブジェクトに対して操作者が接触する操作を、タッチセンサ１４により検出することができる。タッチセンサ１４は、抵抗膜方式、静電容量方式、光学式などの種々の方式のものを採用することができる。
【００１６】
コントローラ３０は、表示制御装置１の各機能ブロックをはじめとして、表示制御装置１の全体を制御及び管理するプロセッサで構成することができる。コントローラ３０は、制御手順を規定したプログラムを実行するＣＰＵ等のプロセッサとすることができる。コントローラ３０が実行するプログラムは、例えばメモリ４０又は外部の記憶媒体等に格納することができる。
【００１７】
メモリ４０は、半導体メモリ等の記憶装置で構成することができ、各種情報や表示制御装置１を動作させるためのプログラム等を記憶するとともに、ワークメモリとしても機能する。メモリ４０は、例えばＲＡＭ及びＲＯＭなどを含んで構成することができる。メモリ４０は、コントローラ３０に特定の機能を実行させる、例えば、アプリケーションに対応する特定のプログラム、及びＧＵＩを構成するオブジェクトの画像のデータなどを格納する。
【００１８】
次に、本実施形態に係る表示制御装置１の動作について説明する。
【００１９】
ＧＵＩ環境においては、例えばマウスなどのポインティングデバイスを使って、ディスプレイに表示されたポインタの位置を移動させることができるものがある。ここで、「ポインタ」とは、例えば、ＧＵＩ環境において操作対象を示すために表示される矢印などの小さな図形（例えばマウスで操作されるマウスポインタ）の画像とすることができる。しかしながら、本実施形態において、ポインタとは、このような態様に限定されるものではなく、任意の各種の画像により構成することができる。このような環境においては、例えばユーザがマウスを上方向に移動させる操作を行うと、この操作に伴って、ディスプレイに表示されたポインタも上方向に移動する。このような操作を行う際に用いられるポインティングデバイスは、マウスのようなものに限定されず、例えばトラックボール又はタッチパッドのようなものとすることもできる。
【００２０】
また、このようなＧＵＩ環境においては、ディスプレイの一画面に収まらないような情報を表示する際などに、ディスプレイに表示される画面をスクロールできるものがある。例えば、上述したマウスのようなポインティングデバイスがスクロールホイールを備える場合、このスクロールホイールによって、ディスプレイに表示される画面をスクロールすることができる。このような環境においては、例えばユーザがスクロールホイールを下方向に回転させる操作を行うと、この操作に伴って、ディスプレイに表示された画面が上方向にスクロールする。また、入力デバイスによっては、スクロールホイールを左右に倒すように傾ける操作によって、ディスプレイに表示された画面を左右にスクロールさせることができるものもある。
【００２１】
さらに、ディスプレイに表示された画面にスクロールバーを表示する場合、スクロールバーのノブの移動（ドラッグ）、又はスクロールバー両端のアローのクリックによって、ディスプレイに表示される画面をスクロールすることができるものもある。このような環境においては、例えばユーザがスクロールバーのノブを下方向に移動させたり、スクロールバー下端のアローをクリックしたりする操作を行うと、この操作に伴って、ディスプレイに表示された画面が上方向にスクロールする。また、画面の左右方向のスクロールを行うことができるように、水平方向のスクロールバーを表示するものもある。
【００２２】
上述したように、従来、ポインタの移動を行うためにはマウスの移動などの操作を行う必要があり、画面のスクロールを行うためにはスクロールホイール又はスクロールバーなどの操作を行う必要がある。すなわち、従来、ポインタの移動と、画面のスクロールとにおいては、それぞれ異なる操作が要求される。そこで、本発明の一実施形態においては、ポインタの移動及び画面のスクロールの双方を、簡単で直感的な一連の操作により実現する。すなわち、本発明の一実施形態においては、ポインタの移動を行う操作により、ポインタの移動のみならず、画面のスクロールも行うこともできるようにする。
【００２３】
図２は、表示制御装置１の動作を説明するフローチャートである。また、図３および図４は、表示制御装置１のディスプレイ１０における画面の表示の例を示す図である。
【００２４】
図２に示す動作が開始する時点では、表示制御装置１において、マウス又はタッチパッドなどのポインティングデバイスがユーザによる操作を検出可能であるものとする。ここで、本実施形態においては、例えばマウスのようなポインティングデバイスを操作部１２とすることができる。また、本実施形態においては、例えばタッチパッド又はタッチパネルのようなデバイスをタッチセンサ１４とすることができる。
【００２５】
以下、図２に示す動作が開始する時点では、一例として、表示制御装置１のコントローラ３０は、図３（Ａ）に示すような画面をディスプレイ１０に表示しているものとする。図３（Ａ）は、一例として、インターネットブラウザを用いて、あるウェブサイトにおいて何らかの人気ランキングを閲覧している場面を想定している。図３（Ａ）に示すように、ディスプレイ１０の画面には、ポインタ５０が表示されている。
【００２６】
図２に示す動作が開始すると、コントローラ３０は、ポインタを移動させる操作が行われたか否かを判定する（ステップＳ１１）。すなわち、ステップＳ１１において、コントローラ３０は、ユーザの操作が操作部１２又はタッチセンサ１４に対して行われたか否かを判定する。具体的には、操作部１２がマウスである場合、ユーザによってマウスの位置を移動させる操作が行われたか否かを判定する。また、タッチセンサ１４がタッチパッドである場合、ユーザによってタッチパッド上がドラッグ又はフリック（スライド）操作が行われたか否かを判定する。ステップＳ１１においてポインタを移動させる操作が行われていない場合、コントローラ３０は、ステップＳ１１の動作を繰り返す。
【００２７】
ステップＳ１１においてポインタを移動させる操作が行われた場合、コントローラ３０は、ディスプレイ１０に表示されたポインタ５０が、ポインタの可動領域の端に位置するか否かを判定する（ステップＳ１２）。
【００２８】
ここで、ポインタの可動領域とは、ポインタ５０を移動させることができる領域であり、典型的には、例えば図３（Ａ）に示すディスプレイ１０の画面全体とすることができる。本実施形態においては、ディスプレイ１０の画面以外の位置にはポインタ５０を表示させることができない。したがって、表示制御装置１は、ポインタ５０が可動領域の端に位置する場合、それ以上先にポインタ５０を移動させようとする操作を検出しても、当該可動領域の端の位置にポインタ５０を留めるように表示してもよい。
【００２９】
一方、画面の表示によっては、例えば図３（Ｄ）に示す領域Ｘのように、ポインタ５０が指示することができない領域を表示する場合もある。図３（Ｄ）に示す領域Ｘには、例えばファンクションキーのような所定の物理キーに対応する機能の名称が表示されており、ポインタ５０は、領域Ｘに表示された項目を指示することができないようになっている。図３（Ｄ）において、ポインタ５０の一部は領域Ｘに侵入しているが、ユーザがさらに下にポインタ５０を移動させる操作を行っても、ポインタ５０が指示する先端部分は領域Ｘに侵入しないようになっている。このような場合、ポインタの可動領域とは、図３（Ｄ）に示すように、ディスプレイ１０の画面において領域Ｘを除く領域とすることができる。
【００３０】
ステップＳ１２においてポインタ５０が可動領域の端に位置しない場合、コントローラ３０は、検出された操作に対応する方向に、ディスプレイ１０上でポインタ５０を移動させて表示する（ステップＳ１３）。このようにしてポインタ５０を移動させて表示したら、コントローラ３０は、図３に示す動作を終了し、再び図３に示す動作を開始するのが好適である。
【００３１】
図３（Ａ）においては、ポインタ５０はディスプレイ１０の中央付近に位置し、ポインタの可動領域の端に位置していない。このような場合、ユーザによってポインタ５０を下方向に移動させる操作が行われると（ステップＳ１１）、図３（Ｂ）に示すように、ポインタ５０はディスプレイ１０の画面下方に移動する（ステップＳ１３）。ここで、コントローラ３０は、ポインタ５０の可動領域内において、ポインタ５０を移動させる操作の移動量に応じて、ディスプレイ１０に表示するポインタ５０を移動させる量を変化させてもよい。すなわち、ポインタ５０を移動させる操作の移動量が大きいほど、ディスプレイ１０に表示するポインタ５０を移動させる量を大きくしてもよい。図４（Ｂ）に示す状態において、ユーザによってポインタ５０をさらに下方向に移動させる操作が行われると（ステップＳ１１）、図３（Ｃ）に示すように、ポインタ５０はさらにディスプレイ１０の画面下方に移動する（ステップＳ１３）。
【００３２】
このように、本実施形態において、コントローラ３０は、ディスプレイ１０に表示されたポインタ５０を移動させる操作を検出すると、ポインタ５０の可動領域端までは、前記操作に応じてポインタ５０を移動させる。
【００３３】
図３（Ｃ）に示す状態においては、ポインタ５０はディスプレイ１０の下端、すなわちポインタの可動領域の端に位置している。図３（Ｃ）においては、ポインタ５０の一部は可動領域の外に出ておりディスプレイ１０に表示されないため、当該一部を破線により示してある。図３（Ｃ）に示すように、ポインタ５０の一部が可動領域の外に出ている状態であっても、ポインタ５０が指示する先端部分はポインタの可動領域の端に位置する。このような場合も、本実施形態において、ポインタ５０は可動領域の端に位置するものとする。
【００３４】
以下、図３（Ｃ）に示すようにポインタ５０が可動領域の端に位置する状態で、ユーザがそれ以上先（下方向、すなわち、可動領域内から可動領域外へ出る方向）にポインタ５０を移動させようとする操作を検出した場合について説明する。すなわち、この場合は、ステップＳ１１においてユーザがポインタを移動させる操作が検出された際に、ステップＳ１２においてポインタが可動領域の端に位置する場合に相当する。
【００３５】
ステップＳ１２においてポインタが可動領域の端に位置する場合、コントローラ３０は、ディスプレイ１０に表示される画面をスクロールする（ステップＳ１４）。ステップＳ１４においては、コントローラ３０は、ステップＳ１１において検出されたポインタ５０の移動方向とは逆の方向に、ディスプレイ１０に表示される画面をスクロールするのが好適である。
【００３６】
図４（Ａ）は、ポインタ５０が可動領域の下端に位置する状態で、ユーザがさらにポインタ５０を方向Ｒ１に移動させようとする操作を検出する状況を示している。この場合、コントローラ３０は、ディスプレイ１０に表示させる画面を、方向Ｓ１にスクロールする。ここで、ポインタ５０は、可動領域から出たことを示すために、ディスプレイ１０において表示しないようにしてもよいし、図４（Ａ）に示すような状態で移動させずに表示してもよい。また、ユーザがポインタ５０を下方向に移動させようとする操作に左右方向の成分が含まれていた場合には、その左右方向の成分に対応させて、ポインタ５０を左右方向にのみ移動させてもよい。
【００３７】
図４（Ａ）に示すような状況で、ユーザがさらにポインタ５０を方向Ｒ１に移動させようとする操作を検出すると、図４（Ｂ）に示すように、ディスプレイ１０に表示される画面がスクロールする。図４（Ｂ）においては、画面が上方向（方向Ｓ１）にスクロールしたため、人気ランキングとして表示されている項目が増えていることを示している。ここで、コントローラ３０は、ポインタ５０の可動領域端において、ポインタ５０を移動させる操作の移動量に応じて、ディスプレイ１０に表示する画面をスクロールさせる量を変化させてもよい。すなわち、ポインタ５０を移動させる操作の移動量が大きいほど、ディスプレイ１０に表示する画面をスクロールさせる量を大きくしてもよい。
【００３８】
このように、本実施形態において、コントローラ３０は、ポインタ５０の可動領域端においては、ディスプレイ１０に表示されたポインタ５０を移動させる操作を検出すると、前記操作に応じてディスプレイ１０に表示する画面をスクロールさせる。また、本実施形態において、コントローラ３０は、ポインタ５０の可動領域端において、ポインタ５０を移動させる操作の方向とは逆方向に、ディスプレイ１０に表示する画面をスクロールさせるのが好適である。さらに、コントローラ３０は、ポインタ５０の可動領域端において、前記操作の移動量に応じて、ディスプレイ１０に表示する画面をスクロールさせる量を変化させてもよい。また、ポインタ５０を移動させる操作が、例えばタッチセンサ１４をゆっくりスライドさせる操作ではなくフリックのように素早い操作である場合、そのような操作の後でも、画面のスクロールの余韻が残るようしてもよい。
【００３９】
ステップＳ１４において画面をスクロールさせたら、コントローラ３０は、それまでの操作とは逆方向にポインタを移動させようとする操作が検出されたか否かを判定する（ステップＳ１５）。すなわち、ステップＳ１５においては、コントローラ３０は、ステップＳ１１で検出したポインタ５０を移動させる操作とは逆方向にポインタを移動させようとする操作が検出されたか否かを判定する。この操作は、具体的には、例えば、ステップＳ１４における画面のスクロールを行った操作がポインタ５０を下方向に移動させようとする操作である場合、ステップＳ１４の直後に上方向にポインタ５０を移動させようとする操作である。
【００４０】
ステップＳ１５においてポインタを逆方向に移動させる操作が検出されなければ、コントローラ３０は、図２に示す動作を終了する。一方、ステップＳ１５においてポインタを逆方向に移動させる操作が検出されたら、コントローラ３０は、ディスプレイ１０に表示する画面を、ステップＳ１４のスクロールとは逆方向にスクロールさせてから（ステップＳ１６）、図２に示す動作を終了する。
【００４１】
上述したように、図４（Ａ）に示した方向Ｒ１にポインタ５０を移動させる操作が行われると、方向Ｓ１に画面のスクロールが行われて図４（Ｂ）に示すような画面の表示になる。この直後に、方向Ｒ１とは逆方向にポインタ５０を移動させる操作を検出すると、図４（Ｃ）に示すように、方向Ｓ１とは逆方向に画面のスクロールが行われる。図４（Ｃ）においては、方向Ｒ１とは逆方向である方向Ｒ２にポインタ５０を移動させる操作が検出されて、方向Ｓ１とは逆方向である方向Ｓ２に画面のスクロールが行われた様子を示している。
【００４２】
このような逆方向のスクロールが行われるのは、ステップＳ１４における画面スクロールからステップＳ１５における操作の検出までの時間が、例えば０．５秒などの所定の短時間よりも短い場合としてもよい。すなわち、ステップＳ１４における画面スクロールの直後にポインタ５０を逆方向に移動させる操作が検出された場合のみ逆方向のスクロールを行い、少し間が空いてからでは逆方向のスクロールは行われないようにしてもよい。
【００４３】
また、タッチセンサ１４によってポインタ５０を移動させる操作が行われる場合にこのような逆方向のスクロールが行われるのは、ステップＳ１４における画面スクロールから、リリース（接触状態の解除）を検出することなく、ステップＳ１５における操作を検出した場合としてもよい。すなわち、ステップＳ１４における画面スクロールの後にリリースを検出することなく、ポインタ５０を逆方向に移動させる操作が検出された場合のみ逆方向のスクロールを行い、一方で、ステップＳ１４における画面スクロール後、リリースを検出した後にポインタ５０を逆方向に移動させる操作が検出された場合には逆方向のスクロールは行われないようにしてもよい。
【００４４】
このように、本実施形態において、コントローラ３０は、ディスプレイ１０に表示する画面をスクロールさせた直後、ポインタ５０を逆方向に移動させる操作を検出すると、ディスプレイ１０に表示する画面を逆方向にスクロールさせてもよい。また、このような逆方向のスクロールは、例えばポインタ５０を移動させる操作がリリースされた時点で停止するようにしてもよい。また、このような逆方向のスクロールは、ポインタ５０を逆方向に移動させる操作とは異なる操作、例えば当該方向に垂直な方向にポインタ５０を移動させる操作が検出された時点で停止するようにしてもよい。
【００４５】
以上説明したように、本発明の実施形態によれば、ポインタ５０の移動、及びディスプレイ１０に表示される画面のスクロールの双方を、簡単で直感的な一連の操作により実現することができる。すなわち、本発明の実施形態においては、ポインタ５０の移動を行う操作により、ポインタ５０の移動のみならず、ディスプレイ１０に表示される画面のスクロールも行うこともできる。したがって、本発明の実施形態に係る表示制御装置によれば、各種端末の操作性を向上させることができる。
【００４６】
上述した説明においては、ポインタ５０を下方向に移動させて画面が上方向にスクロールする場合、及び直後にポインタ５０を上方向に移動させて画面が下方向にスクロールする場合について述べた。本実施形態に係る表示制御装置１は、当然ながら、逆の操作に対応させることもできる。すなわち、ポインタ５０を上方向に移動させて画面を下方向にスクロールさせること、及び直後にポインタ５０を下方向に移動させて画面をうえ方向にスクロールさせることもできる。さらに、本実施形態に係る表示制御装置１は、当然ながら、上述のような動作を上下方向の動作のみならず、左右方向など任意の向きの動作とすることもできる。
【００４７】
本発明を諸図面及び実施例に基づき説明してきたが、当業者であれば本開示に基づき種々の変形及び修正を行うことが容易であることに注意されたい。したがって、これらの変形及び修正は本発明の範囲に含まれることに留意されたい。例えば、各機能部、各手段、各ステップなどに含まれる機能などは論理的に矛盾しないように再配置可能であり、複数の機能部及びステップなどを１つに組み合わせたり、或いは分割したりすることが可能である。また、上述した本発明の各実施形態は、それぞれ説明した各実施形態に忠実に実施することに限定されるものではなく、適宜、各特徴を組み合わせたり、一部を省略したりして実施することもできる。
【００４８】
例えば、図１においては、本発明の一実施形態に係る表示制御装置１は、ディスプレイ１０を含むものとして説明した。しかしながら、本発明の一実施形態に係る表示制御装置１を例えばデスクトップＰＣに採用するような場合は、デスクトップＰＣの本体とは別に、外付けのディスプレイを設置することが多い。このような場合、本発明の一実施形態に係る表示制御装置１は、ディスプレイ１０を含まずに構成することもできる。
【００４９】
また、上述した本発明の一実施形態に係る表示制御装置１は、例えば図５（Ａ）に示すようなノートＰＣ１００、又はデスクトップＰＣのような端末に採用することを想定して説明した。この場合、例えば操作部１２であるマウスを用いてポインタ５０をドラッグさせる操作、又はタッチセンサ１４であるタッチパッドを用いてポインタ５０をスライドさせる操作に応じて、ポインタ５０を移動させることができる。また、図５（Ａ）に示すようなノートＰＣ１００のディスプレイ１０がタッチセンサ１４を備えたタッチパネル１０（１４）である場合、このタッチパネルを用いてポインタ５０をスライドさせる操作に応じて、ポインタ５０を移動させることができる。
【００５０】
一方、上述したように、本発明の一実施形態に係る表示制御装置１は、ＰＣのような端末に限定されるものではない。例えば、本発明の一実施形態に係る表示制御装置１は、図５（Ｂ）に示すようなスマートフォン２００のような端末に採用してもよい。この場合、スマートフォン２００のディスプレイ１０がタッチセンサ１４を備えたタッチパネル１０，１４である場合、このタッチパネルを用いてポインタ５０をスライドさせる操作に応じて、ポインタ５０を移動させることができる。また、本発明の一実施形態に係る表示制御装置１は、例えば、図５（Ｃ）に示すようなフィーチャーフォン３００のような端末に採用してもよい。この場合、フィーチャーフォン３００の操作部１２を構成する方向キー（カーソルキー）２２又はテンキー（ダイヤルキー）２４などを押下する操作に応じて、押下されたキーに対応する方向にポインタ５０を移動させることができる。
【００５１】
フィーチャーフォン３００のような端末は、タッチセンサを備えないものが多い。しかしながら、図５（Ｃ）に示すように、フィーチャーフォン３００の操作部１２を構成する各キーを含む操作面の少なくとも一部が、タッチセンサ１４の機能を有するものもある。このような端末においては、各キー上及び／又は筐体において各キーを除く操作面上が、例えば静電式センサとなっており、ユーザによるタッチ又はスライドのような操作を検出することができる。このような構成においては、図５（Ｃ）に示すタッチセンサ１４上でユーザがポインタ５０をスライドさせる操作に応じて、ディスプレイ１０に表示されるポインタ５０の移動及び／又は画面のスクロールを行うことができる。このようなタッチセンサ１４は、例えば操作部１２を構成する各キーのうちセンターキー２０、方向キー（カーソルキー）２２、及びテンキー（ダイヤルキー）２４（並びにその周辺領域）の全てにおいてユーザの操作を検出してもよい。また、このようなタッチセンサ１４は、例えば操作部１２を構成する各キーのうちセンターキー２０又は方向キー（カーソルキー）２２（及びその周辺領域）のみにおいてユーザの操作を検出してもよい。また、このようなタッチセンサ１４は、例えば操作部１２を構成する各キーのうちテンキー（ダイヤルキー）２４（及びその周辺領域）のみにおいてユーザの操作を検出してもよい。フィーチャーフォン３００がテンキー２４（及びその周辺領域）においてユーザの操作を検出する場合、図５（Ｃ）に示すテンキー２４を構成する例えば数字１，４，７の各キーの間隔を少し開けてもよい。このようにすれば、例えば１，４，７の各キーがそれぞれ静電式センサなどを備えていなくても、各キーの間にそのようなセンサを配置することにより、テンキー２４（及びその周辺領域）においてユーザの操作を検出することができる。
【００５２】
また、上述した本発明の実施形態においては、ディスプレイ１０に表示して移動させるものはポインタ５０を想定して説明した。しかしながら、本発明の実施形態においては、ポインタ５０の代わりにカーソルとするなど、ＧＵＩ環境において操作対象を示すために表示される種々の要素を用いることができる。
【符号の説明】
【００５３】
１  表示制御装置
１０  ディスプレイ
１２  操作部
１４  タッチセンサ
３０  コントローラ
４０  メモリ
５０  ポインタ
１００  ノートパソコン（ノートＰＣ）
２００  スマートフォン
３００  フィーチャーフォン
【図１】
2017138571.tif 000003
【図２】
2017138571.tif 000004
【図３】
2017138571.tif 000005
【図４】
2017138571.tif 000006
【図５】
2017138571.tif 000007
【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
ディスプレイに表示されたポインタを移動させる操作を検出すると、
前記ポインタの可動領域端までは、前記操作に応じて前記ポインタを移動させて、
前記ポインタの可動領域端においては、前記操作に応じて前記ディスプレイに表示する画面をスクロールさせるコントローラを備え、
前記ポインタの一部は、可動領域端の外に出ることを可能とする
表示制御装置。
【請求項２】
前記コントローラは、
前記ポインタの可動領域端において、前記操作の移動量に応じて、前記ディスプレイに表示する画面をスクロールさせる量を変化させる、請求項１に記載の表示制御装置。
【請求項３】
前記コントローラは、前記ポインタの可動領域端において、前記ポインタを移動させる操作の方向とは逆方向に、前記ディスプレイに表示する画面をスクロールさせる、請求項１または２に記載の表示制御装置。
【請求項４】
前記コントローラは、前記操作に応じて前記ディスプレイに表示する画面をスクロールさせた後、前記操作がリリースされることなく、当該操作の方向とは逆方向への操作を検出すると、前記ディスプレイに表示する画面を前記スクロールしていた方向とは逆方向にスクロールさせる、請求項１から３のいずれかに記載の表示制御装置。
【手続補正２】
【補正対象書類名】明細書
【補正対象項目名】０００６
【補正方法】変更
【補正の内容】
【０００６】
第１の観点に係る表示制御装置は、ディスプレイに表示されたポインタを移動させる操作を検出すると、前記ポインタの可動領域端までは、前記操作に応じて前記ポインタを移動させて、前記ポインタの可動領域端においては、前記操作に応じて前記ディスプレイに表示する画面をスクロールさせるコントローラを備える。前記ポインタの一部は、可動領域端の外に出ることを可能とする。
【手続補正書】
【提出日】平成29年1月4日(2017.1.4)
【手続補正１】
【補正対象書類名】特許請求の範囲
【補正対象項目名】全文
【補正方法】変更
【補正の内容】
【特許請求の範囲】
【請求項１】
ディスプレイに表示されたポインタを移動させる操作を検出すると、
前記ポインタの可動領域端までは、前記操作に応じて前記ポインタを移動させて、
前記ポインタの可動領域端においては、前記操作に応じて前記ディスプレイに表示する画面をスクロールさせるコントローラを備え、
前記ポインタの一部は、可動領域端の外に出ることを可能とする
表示制御装置。
【請求項２】
前記コントローラは、
前記ポインタの可動領域端において、前記操作の移動量に応じて、前記ディスプレイに表示する画面をスクロールさせる量を変化させる、請求項１に記載の表示制御装置。
【請求項３】
前記コントローラは、前記ポインタの可動領域端において、前記ポインタを移動させる操作の方向とは逆方向に、前記ディスプレイに表示する画面をスクロールさせる、請求項１または２に記載の表示制御装置。
【請求項４】
前記コントローラは、前記操作に応じて前記ディスプレイに表示する画面をスクロールさせた後、前記操作がリリースされることなく、当該操作の方向とは逆方向への操作を検出すると、前記ディスプレイに表示する画面を前記スクロールしていた方向とは逆方向にスクロールさせる、請求項１から３のいずれかに記載の表示制御装置。
【請求項５】
物理キーを備え、
前記ポインタの可動領域は、前記ディスプレイの表示領域における、前記物理キーに対応する機能を示す領域を含まない領域である、請求項１から４のいずれかに記載の表示制御装置。
【請求項６】
前記表示制御装置は、複数の物理キーと該複数の物理キー間に配置されたタッチセンサとを備えたフィーチャーフォンであって、
前記ポインタの可動領域は、前記ディスプレイの表示領域における、前記物理キーに対応する機能を示す領域を含まない領域であり、
前記コントローラは、前記タッチセンサへの操作に応じて、前記ポインタを、前記物理キーに対応する機能を示す領域を含まない領域中で移動させる、請求項１から５のいずれかに記載の表示制御装置。
【請求項７】
前記表示制御装置は、複数の物理キーと該複数の物理キー間に配置されたタッチセンサとを備えたフィーチャーフォンであって、
前記コントローラは、
前記タッチセンサへの操作に応じて、前記ポインタを前記可動領域内で移動させ、
前記物理キーへの操作に応じて、前記ディスプレイにおける前記可動領域と異なる表示領域に対応する処理を実行する、請求項１から５のいずれかに記載の表示制御装置。
【請求項８】
前記表示制御装置は、第１キーと第２キーとを含む複数の物理キーを備えたフィーチャーフォンであって、
前記コントローラは、
前記第１キーへの操作に応じて、前記ポインタを前記可動領域内で移動させ、
前記第２キーへの操作に応じて、前記ディスプレイにおける前記可動領域と異なる表示領域に対応する処理を実行する、請求項１から５のいずれかに記載の表示制御装置。
【請求項９】
前記コントローラは、
前記操作に応じて前記ディスプレイに表示する画面をスクロールさせた後、前記操作がリリースされることなく、当該操作の方向とは逆方向への操作を検出すると、前記ディスプレイに表示する画面を前記スクロールしていた方向とは逆方向にスクロールさせ、
前記操作に応じて前記ディスプレイに表示する画面をスクロールさせた後、前記操作がリリースされると、前記逆方向のスクロールをさせない、請求項３に記載の表示制御装置。
【請求項１０】
前記コントローラは、前記画面をスクロールさせる場合、前記ポインタを非表示にする、請求項１から９のいずれかに記載の表示制御装置。
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
ディスプレイに表示された矢印形状のポインタを移動させる操作を検出すると、
前記ポインタの可動領域端までは、前記操作に応じて前記ポインタを移動させて、
前記ポインタの前記可動領域端においては、前記操作に応じて前記ディスプレイに表示する画面をスクロールさせるコントローラを備え、
前記ポインタの矢柄部分は、前記可動領域端の外に出ることを可能とする
表示制御装置。
【請求項２】
前記コントローラは、
前記ポインタの前記可動領域端において、前記操作の移動量に応じて、前記ディスプレイに表示する画面をスクロールさせる量を変化させる、請求項１に記載の表示制御装置。
【請求項３】
前記コントローラは、前記ポインタの前記可動領域端において、前記ポインタを移動させる操作の方向とは逆方向に、前記ディスプレイに表示する画面をスクロールさせる、請求項１または２に記載の表示制御装置。
【請求項４】
前記コントローラは、接触による前記操作に応じて前記ディスプレイに表示する画面をスクロールさせた後、前記接触の状態が解除されることなく、当該操作の方向とは逆方向への接触による操作を検出すると、前記ディスプレイに表示する画面を前記スクロールしていた方向とは逆方向にスクロールさせる、請求項１から３のいずれかに記載の表示制御装置。
【請求項５】
物理キーを備え、
前記ポインタの可動領域は、前記ディスプレイの表示領域における、前記物理キーに対応する機能を示す領域を含まない領域である、請求項１から４のいずれかに記載の表示制御装置。
【請求項６】
前記表示制御装置は、複数の物理キーと該複数の物理キー間に配置されたタッチセンサとを備えたフィーチャーフォンであって、
前記ポインタの可動領域は、前記ディスプレイの表示領域における、前記物理キーに対応する機能を示す領域を含まない領域であり、
前記コントローラは、前記タッチセンサへの操作に応じて、前記ポインタを、前記物理キーに対応する機能を示す領域を含まない領域中で移動させる、請求項１から５のいずれかに記載の表示制御装置。
【請求項７】
前記表示制御装置は、複数の物理キーと該複数の物理キー間に配置されたタッチセンサとを備えたフィーチャーフォンであって、
前記コントローラは、
前記タッチセンサへの操作に応じて、前記ポインタを可動領域内で移動させ、
前記物理キーへの操作に応じて、前記ディスプレイにおける前記可動領域と異なる表示領域に対応する処理を実行する、請求項１から５のいずれかに記載の表示制御装置。
【請求項８】
前記表示制御装置は、第１キーと第２キーとを含む複数の物理キーを備えたフィーチャーフォンであって、
前記コントローラは、
前記第１キーへの操作に応じて、前記ポインタを可動領域内で移動させ、
前記第２キーへの操作に応じて、前記ディスプレイにおける前記可動領域と異なる表示領域に対応する処理を実行する、請求項１から５のいずれかに記載の表示制御装置。
【請求項９】
前記コントローラは、
前記操作に応じて前記ディスプレイに表示する画面をスクロールさせた後、前記操作がリリースされることなく、当該操作の方向とは逆方向への操作を検出すると、前記ディスプレイに表示する画面を前記スクロールしていた方向とは逆方向にスクロールさせ、
前記操作に応じて前記ディスプレイに表示する画面をスクロールさせた後、前記操作がリリースされると、前記逆方向のスクロールをさせない、請求項３に記載の表示制御装置。
【請求項１０】
前記コントローラは、前記画面をスクロールさせる場合、前記ポインタの一部が前記可動領域端の外に出ている状態から前記ポインタが非表示の状態にする、請求項１から９のいずれかに記載の表示制御装置。
【手続補正２】
【補正対象書類名】明細書
【補正対象項目名】０００６
【補正方法】変更
【補正の内容】
【０００６】
第１の観点に係る表示制御装置は、ディスプレイに表示された矢印形状のポインタを移動させる操作を検出すると、前記ポインタの可動領域端までは、前記操作に応じて前記ポインタを移動させて、前記ポインタの前記可動領域端においては、前記操作に応じて前記ディスプレイに表示する画面をスクロールさせるコントローラを備える。前記ポインタの矢柄部分は、前記可動領域端の外に出ることを可能とする。